(57)【要約】【課題】複数の光ビームによって像担持体上に画像を形成する際の光ビーム個々の基準光量を変更することなく、光検出手段の受光量許容レンジに合わせる。【解決手段】ＳＯＳセンサ７８を通過するときの面発光レーザアレイ５０の総発光量を、発光部５０Ａの点灯数によって変更、すなわち、各発光部５０Ａの光量調整ではなく、オン又はオフの設定によって調整し、ＳＯＳセンサ７８が持つ受光量許容レンジの範囲内におさめるようにした。これにより、ゲイン切り替えアンプ等が不要であり、実際に画像形成処理するときの基準電圧に基づく発光光量を考慮することなく、比較的安価である受光量許容レンジが狭いＳＯＳセンサを適用することが可能となる。【選択図】図３
2008026539.tif 000002
【特許請求の範囲】
【請求項１】
複数の光ビームを主走査方向に偏向しながら出力する光走査装置を備え、当該光走査装置から照射される光ビームを像担持体に走査して静電潜像を形成し、現像することで画像を形成する画像形成装置であって、
前記複数の光ビームの走査光路上に設けられた光検出手段と、
前記光検出手段による光ビーム検出時期に基づいて、前記画像形成のための走査開始タイミングを設定する走査開始タイミング設定手段と、
前記光検出手段を通過するときに点灯させる光ビーム数を決定する光ビーム数決定手段と、
前記光検出手段を通過するときには前記光ビーム数決定手段で決定した数の光ビームを点灯させる点灯制御手段と、
を有する画像形成装置。
【請求項２】
前記画像形成時の基準光量を設定する基準光量設定手段をさらに有し、
前記光ビーム数決定手段が、前記基準光量設定手段で設定された光量に基づいて光ビーム数を決定することを特徴とする請求項１記載の画像形成装置。
【請求項３】
前記光検出手段に、異なる被走査体を露光する光を入射させることを特徴とする請求項１又は請求項２記載の画像形成装置。
【発明の詳細な説明】
【技術分野】
【０００１】
本発明は、複数の光源を備え、当該複数の光源から出射される複数の光ビームを像担持体上で走査することで、画像を形成する画像形成装置に関する。
【背景技術】
【０００２】
従来、光源から出射された光ビームを、高速回転している回転多面鏡により偏向し、当該偏向された光ビームを感光体ドラム等の像担持体上に走査（前記偏向が主走査、感光体ドラムの回転が副走査）することで静電潜像を形成し、当該静電潜像をトナー等の現像剤により現像した像（例えば、トナー像）を記録媒体に転写して画像を形成するデジタル複写機やプリンタ等の画像形成装置が知られている。
【０００３】
前記主走査は、繰り返し実行されるが、このとき、画像形成領域の両端、特に書き出し（画像データ出力時期）を一致させるべく、画像形成領域の上流側には、光ビームの光路上に光検出センサを設け、この光検出センサでの受光時期に基づいて、画像形成領域の書き出し時期を制御している。
【０００４】
ここで、現在適用されている光検出センサは、そのダイナミックレンジ、すなわち使用可能な光量のレンジが狭い。このため、光源の光量の下限値として、光検出センサで検知可能な光量以上、上限値として、フレーム反射等による影響を受けない光量以下の範囲で使用レンジを設定する必要がある。すなわち、光量の下限値を下回ると検出タイミングのばらつき（ジッター）が発生し、上限値を上回ると本来の受光以外にフレーム反射による受光が存在し、検出誤差が発生する。
【０００５】
このため、設定光量によっては、光検出センサに対して、ゲインの切り替え等の処置を施すことがなされている（特許文献１参照）。
【０００６】
ところが、この特許文献１では、光量に応じてゲインを切り替えるために光検出センサ（ＳＯＳセンサ）にアンプを新たに追加する必要があるため、部品点数の増加、制御の複雑化、並びにコストアップにつながる。
【０００７】
また、光源側の制御を主体とした関連技術として、レーザビームの強度調整用の操作信号に基づいて、同期信号発生手段（光ビーム位置検出手段）を通過するときと、光源を走査するときとで強度（光量）を変更することが提案されている（特許文献２、特許文献３参照）。なお、上記特許文献２及び特許文献３は、光源が単一であることが前提となっている。
【特許文献１】特開２００１−２９６４８９公報
【特許文献２】特開平４−２０４６７１号公報
【特許文献３】特開平６−２７０４６０号公報
【発明の開示】
【発明が解決しようとする課題】
【０００８】
しかしながら、特許文献２及び特許文献３では、同期信号発生手段（光ビーム位置検出手段）を通過してから、像担持体上で画像データに基づいて画像形成するまでの期間が限られており、特に、処理速度が速くなればなるほど、その期間は短くなり、光量の調整制御が間に合わない場合がある。特に、特許文献３において、第１の光量を得るためのＡＰＣ（オートパワーコントロール）を行う際に光ビーム検出手段（ＳＯＳ）から書き出し開始までの間にＡＰＣをおこなわなければならないために、光量の切り替えを行う制御時間が足りなくなる。
【０００９】
本発明は上記事実を考慮し、複数の光ビームによって像担持体上に画像を形成する際の光ビーム個々の基準光量を変更することなく、画像形成領域外に配設された光検出手段の受光量許容レンジに合わせることができる画像形成装置を得ることが目的である。
【課題を解決するための手段】
【００１０】
本発明は、複数の光ビームを主走査方向に偏向しながら出力する光走査装置を備え、当該光走査装置から照射される光ビームを像担持体に走査して静電潜像を形成し、現像することで画像を形成する画像形成装置であって、前記複数の光ビームの走査光路上に設けられた光検出手段と、前記光検出手段による光ビーム検出時期に基づいて、前記画像形成のための走査開始タイミングを設定する走査開始タイミング設定手段と、前記光検出手段を通過するときに点灯させる光ビーム数を決定する光ビーム数決定手段と、前記光検出手段を通過するときには前記光ビーム数決定手段で決定した数の光ビームを点灯させる点灯制御手段と、を有している。
【００１１】
本発明によれば、光検出手段を通過するときの光ビーム数を光ビーム数決定手段で決定する。画像形成処理時は、光検出手段による光ビーム検出時期に基づいて、走査開始タイミングを設定する。このとき、点灯制御手段では、光検出手段を通過するときには前記光ビーム数決定手段で決定した数の光源を点灯させる。
【００１２】
これにより、画像形成時の複数の光ビームによる光量が、光検出手段の受光量許容レンジから逸脱していても、光検出手段を通過するときに点灯される光ビーム数が制限されるため、許容レンジ内におさめることができ、光量のばらつきや反射等による誤検出を防止することができる。言い換えれば、受光量許容レンジの狭い、安価な光検出手段を適用することができる。
【００１３】
上記発明において、前記画像形成時の基準光量を設定する基準光量設定手段をさらに有し、前記光ビーム数決定手段が、前記基準光量設定手段で設定された光量に基づいて光ビーム数を決定することを特徴としている。
【００１４】
基準光量は画像形成装置の機種等により異なる。また、基準光量は、同一機種であっても経時的に変化する。そこで、基準光量設定手段で設定された光量に基づいて光ビーム数を決定することで、常に、光検出手段の受光量許容レンジ内におさめることができる。
【００１５】
また、本発明において、前記光検出手段に、異なる被走査体を露光する光ビームを入射させることを特徴としている。
【００１６】
また、本発明を実現するために複数の光ビームが必須となるが、画像形成装置の構造として、複数の像担持体（被走査体）を露光する光ビームを同一の光検出手段に導くことで光源を複数にするなどの特殊な奥像とすることなく、実施可能である。
【発明の効果】
【００１７】
以上説明した如く本発明では、複数の光ビームによって光検出手段を露光する際の光ビーム個々のあるいは一部の基準光量を変更することなく、画像形成領域外に配設された光検出手段の受光量許容レンジに合わせることができるという優れた効果を有する。
【発明を実施するための最良の形態】
【００１８】
図１に示される如く、本実施の形態に係る画像形成装置１０は、像担持体としての感光体ドラム１２を備えている。感光体ドラム１２は、図示しないモータ等の駆動手段の駆動力により所定の速度で矢印Ａ方向に回転する。感光体ドラム１２の上方には、感光体ドラム１２の周面を帯電させる帯電器１４が設けられている。
【００１９】
帯電器１４の上方には光ビーム走査装置１６が配置されている。詳細は後述するが、光ビーム走査装置１６は、光源から複数の光ビームが射出される構成となっており、当該複数の光ビームを、画像に応じて変調（オン・オフ制御）すると共に、主走査方向に偏向して、感光体ドラム１２の周面上を感光体ドラム１２の軸線方向に走査（主走査）させる。これにより、感光体ドラム１２の周面上に静電潜像が形成される。
【００２０】
感光体ドラム１２の側方には現像器１８が配置されている。現像器１８は、現像ローラ２０を備え、内部にトナーを貯留しており、現像ローラ２０によって感光体ドラム１２の周面上の形成された静電潜像にトナーを付着させて現像する。
【００２１】
また、感光体ドラム１２の略下方には無端の中間転写ベルト２４が配設されている。中間転写ベルト２４は、ローラ２６、２８、３０に巻掛けられており、周面が感光体ドラム１２の周面に接触するように配置され、かつ矢印Ｂ方向に回転される。
【００２２】
この感光体ドラム１２の接触位置において、中間転写ベルト２４を挟んで感光体ドラム１２と反対側には転写器３２が配置されており、一次転写部となっている。
【００２３】
感光体ドラム１２の周面上の現像されたトナー像は、一次転写部に到達すると、転写器３２によって中間転写ベルト２４に転写される。
【００２４】
感光体ドラム１２の周面上の転写位置よりも回転方向下流には、感光体ドラム１２の周面を除電する機能及び周面上に残留している不要トナーを除去する機能を備えた除電・清掃器２２が配置されている。転写後、感光体ドラム１２の周面のうち転写されたトナー像を担持していた領域は、除電・清掃器２２によって清掃される。
【００２５】
中間転写ベルト２４よりも下方側にはトレイ３４が配置されており、トレイ３４内には記録媒体としての用紙Ｐが多数枚積層された状態で収容されている。
【００２６】
トレイ３４の図１の左斜め上方には取り出しローラ３６が配置されており、取り出しローラ３６による用紙Ｐの取り出し方向下流側にはローラ対３８、ローラ４０が順に配置されている。積層状態で最も上方に位置している記録紙は、取り出しローラ３６が回転されることによりトレイ３４から取り出され、ローラ対３８、ローラ４０によって中間転写ベルト２４と同じ回転速度で搬送される。用紙Ｐの搬送経路の中間転写ベルト２４の上流側には、レジセンサ４５が配置されている。レジセンサ４５は、用紙Ｐの搬送タイミング及び用紙Ｐの用紙サイズを検出するため用紙Ｐの先頭及び後端を検出する。
【００２７】
また、中間転写ベルト２４を挟んでローラ３０の反対側には転写器４２が配置され、二次転写部とされている。ローラ対３８、ローラ４０によって搬送された用紙Ｐは、中間転写ベルト２４と転写器４２の間である二次転写部に送り込まれ、中間転写ベルト２４の画像形成面に形成されたトナー像が転写器４２によって転写される。
【００２８】
この二次転写部（転写器４２）よりも用紙Ｐの搬送方向下流側には、加熱ローラ及び加圧ローラを備えた定着器４４が配置されており、トナー像が転写された用紙Ｐは、転写されたトナー像が定着器４４によって溶融定着された後に画像形成装置１０の機体外へ排出され、図示しない排紙トレイ上に載置される。
【００２９】
次に図２を参照し、光ビーム走査装置１６について説明する。光ビーム走査装置１６は複数個（図２では、４個を図示）の発光部５０Ａから光ビームを射出する面発光レーザアレイ（以下、必要に応じて「ＬＤ」という）５０を備えている。
【００３０】
面発光レーザアレイ５０は、発光部５０Ａの数に応じて、配列は様々であるが、複数列複数行のマトリクス状が一般的であり、例えば、図３（Ａ）に示される如く、３２個の発光部５０Ａを持つ面発光レーザアレイ５０の場合は、縦方向を列、横方向を行とすると、４列８行を外郭が略平行四辺形となるように配列すればよい。
【００３１】
面発光レーザアレイ５０の光ビーム射出側には、コリメータレンズ５２が配置されている。面発光レーザアレイ５０から射出された光ビームは、コリメータレンズ５２によって略平行光束にされた後に、シリンドリカルレンズ６２へ入射する。シリンドリカルレンズ６２は、副走査方向にパワーを有する凸レンズである。
【００３２】
なお、面発光レーザアレイ５０は、露光に用いる光ビームが射出される側と反対側からは光ビームが射出されないため、光ビームの出射方向に光量センサ（図示省略）を設け、光ビームの光量を検出して光量制御（ＡＰＣ）を行っている。
【００３３】
シリンドリカルレンズ６２を透過した光ビームは、図示しないモータの駆動力により予め定められた回転速度で矢印Ｃ方向に回転する回転多面鏡６６の周面の反射鏡に入射され、偏向される。偏向された光ビームはｆθレンズ７０により等速に走査するよう補正され感光体ドラム１２の周面上に照射される。このとき同時に感光体ドラム１２が副走査方向（矢印Ｄ方向）に回転することで画像が形成される。
【００３４】
また、ｆθレンズ７０の光ビーム射出側には、光ビームの走査範囲のうち走査開始側の端部（ＳＯＳ:Start Of Scan）に相当する位置にピックアップミラー７６が配置されており、ピックアップミラー７６の光ビーム射出側には光検出手段であるＳＯＳセンサ７８が配置されている。
【００３５】
面発光レーザアレイ５０から射出された光ビームは、回転多面鏡６６の各反射面のうちの光ビームを反射している面が、入射ビームをＳＯＳに相当する方向へ反射する向きとなったときに、ピックアップミラー７６で反射されてＳＯＳセンサ７８に入射される。
【００３６】
光ビームが入射したときにＳＯＳセンサ７８からは主走査同期信号が出力される。この信号は、回転多面鏡６６の回転に伴って感光体ドラム１２の周面上を走査される光ビームを変調して静電潜像を形成するにあたり、各回の主走査における変調開始タイミング（画像書込みタイミング）の同期をとるために用いられる。
【００３７】
ここで、前記ＳＯＳセンサ７８は、光ビームが入射することで、所定の信号（電気信号）を出力するが、その受光量には所定の許容範囲（受光量許容レンジ）があり（図３（Ｂ）参照）、これを逸脱すると、正確な出力信号を得ることができない場合がある。
【００３８】
このとき、ＳＯＳセンサ７８自身の受光量許容レンジの範囲内であれば、適正な出力を得ることができる。
【００３９】
ところが、前記受光量許容レンジの上限を超える光量の光が入力されると、周囲の反射（フレーム反射）による光が入力されることで、検知タイミングのばらつきや意図しない検知信号を得てしまうことがある。また、受光量許容レンジの下限を下回る光が入力されると、ジッターによる影響を受けやすく、露光タイミングがばらつく。さらに、光量が低下すると、検知信号を得ることができなくなる。
【００４０】
そこで、本実施の形態では、画像形成時には全ての発光部５０Ａを発光させ、ＳＯＳセンサ７８に光が入力されるときは面発光レーザアレイ５０のうち、ＳＯＳセンサ７８を露光する光ビーム数を変更するように制御した。
【００４１】
具体的には、図３（Ａ）に示される如く、３２個の発光部５０Ａのうち、１列分の８個の発光部５０ＡをＳＯＳセンサ７８を通過するときに点灯させる発光部５０Ａとして指定し、その内、さらに画像形成装置１０の仕様に基づく基準光量に応じて、その数を設定するようにした。
【００４２】
表１は、その数の設定対応表である。
【００４３】
【表１】
2008026539.tif 000003
【００４４】
この表１からわかるように、それぞれの光量設定値に応じて、発光部５０Ａの設定数（ＳＯＳセンサ７８を通過するときに点灯する発光部５０Ａの数）を決定することで、ＳＯＳセンサ７８へ入射する光量が、受光量許容レンジ（６０〜１００μＷ）の範囲内であることがわかる。
【００４５】
図４は、上記発光部５０Ａの設定数を決定するための機能を含む、光源発光制御系の制御ブロックである。
【００４６】
なお、この制御ブロック図は、あくまでも機能別にブロック化してものであり、ハード構成を限定するものではなく、複数のブロック、或いは全てのブロックを単一のＩＣチップで構成してもよいし、ソフト的なプログラムを組んで制御を実行するようにしてもよい。
【００４７】
ＳＯＳセンサ７８は、書き出しタイミング設定部１００に接続されており、検出した光に応じた電気信号を、書き出しタイミング設定部１００へ送出する。
【００４８】
書き出しタイミング設定部１００にはビデオメモリ１０２が接続されている。
【００４９】
書き出しタイミング設定部１００では、ビデオメモリ１０２に対して、当該ビデオメモリ１０２に記憶された画像データ（ビットマップデータ）の各主走査ライン毎の画像書き出しタイミング信号を出力する。なお、この書き出しタイミング設定部１００及びビデオメモリ１０２には、ビデオクロック部１０４が接続され、書き出しタイミング設定部１００とビデオメモリ１０２とは、ビデオクロック１０４によって同期がとられている。
【００５０】
ビデオメモリ１０２は、ＬＤ駆動部１０６に接続されている。ＬＤ駆動部１０６は面発光レーザアレイ５０の各発光部５０Ａの点灯・消灯を制御するドライバであり、ビデオメモリ１０２からは各発光部５０Ａに対応するビデオデータが、所定のタイミングで入力されることになる。
【００５１】
ＬＤ駆動部１０６には、面発光レーザアレイ５０が接続され、前記ビデオデータに基づいて、点灯（消灯）制御が実行される。
【００５２】
ここで、ＬＤ駆動部１０６には、露光光量を設定するための基準電圧設定部１０８が接続されている。
【００５３】
ＬＤ駆動部１０６では、この基準電圧設定部１０８において設定されている基準電圧に基づいて、各発光部５０Ａを発光させ、画像形成処理を実行する。
【００５４】
一方、ＳＯＳセンサ７８を通過するときは、前述したように、光量設定値に応じて、点灯させる発光部５０Ａの数が定められるが、本実施の形態では、基準電圧設定部１０８に接続されたＳＯＳ露光ビーム設定部１１０によって設定されるようになっている。設定された発光部５０Ａの数は、ＬＤ駆動部１０６へ送出され、ＳＯＳセンサ７８を通過するタイミングで、設定された発光部５０Ａの数の点灯を実行する。
【００５５】
以下に、本実施の形態の作用を説明する。
【００５６】
画像形成指示があると、回転多面鏡６６の回転を開始し、感光体ドラム１２を所定の速度で回転させ、また、中間転写ベルト２４を駆動させる。
【００５７】
そして、感光体ドラム１２が所定の速度で安定するとビデオクロック部１０４を起動して、画像形成走査制御を開始する。
【００５８】
その後、面発光レーザアレイ５０の各発光部５０Ａからは、光ビームの出射が開始され、ビデオメモリ１０２からＬＤ駆動部１０６に対して、複数ラインずつ画像データが読み込まれる。
【００５９】
そして、ＳＯＳセンサ７８より主走査同期信号が入力するタイミングを基準として、読み込んだ画像データに基づいて変調信号を生成し、面発光レーザアレイ５０の各面発光部５０Ａを点灯制御する。
【００６０】
この光ビームは、コリメータレンズ５２によって略平行光束にされた後にシリンドリカルレンズ６２へ入射する。
【００６１】
シリンダレンズ６２を透過した光ビームは、所定の速度で回転している回転多面鏡６６により偏向され、偏向された光ビームはｆθレンズ７０により等速に走査するよう補正され感光体ドラム１２の周面上に照射される。
【００６２】
これにより、感光体ドラム１２の周面上には１回の走査毎に３２本の走査ラインが同時に走査され、感光体ドラム１２の周面上に静電潜像が形成される。この静電潜像が現像器１８によりトナー像として現像され、このトナー像が一次転写部では転写器３２、二次転写部では転写器４２による転写がなされ、用紙Ｐに画像が記録される。用紙Ｐは、定着器４４によって用紙Ｐに溶融定着されて、排出される。
【００６３】
ところで、本実施の形態では、光ビームがＳＯＳセンサ７８を通過するとき、全ての発光部５０Ａが点灯するのではなく、特定の数だけ点灯し、ＳＯＳセンサ７８の受光量許容レンジの範囲内に維持している。
【００６４】
以下、図５のフローチャートに従い、このＳＯＳセンサ７８の通過時の発光部５０Ａの数を設定するための制御が含まれたプリント指示時の流れを説明する。
【００６５】
ステップ２００では、プリントジョブの実行指示があったか否かが判断され、否定判定の場合は、このルーチンは終了する。
【００６６】
また、このステップ２００で肯定判定されると、ステップ２０２へ移行してプロセスコントロールの実行時期か否かが判断され、肯定判定されるとステップ２０４へ移行してプロコン（プロセスコントロール）処理を実行し、ステップ２０６へ移行する。また、ステップ２００で否定判定の場合は、ステップ２０６へ移行する。
【００６７】
ステップ２０６では、プロコン処理によって基準電圧の変更があったか否かが判断され、肯定判定されると、ステップ２０８へ移行して基準電圧Ｖｒｅｆ．に基づいて、ＳＯＳセンサ７８用の発光部５０Ａの数を読み出し（例えば、表１等のデータベースに基づいて読み出し）、ステップ２１０へ移行する。
【００６８】
ステップ２１０では、読み出された発光部５０Ａの数が、現在設定されている数に変更があるか否かが判断され肯定判定されると、ステップ２１２へ移行して発光部５０Ａの数の設定を変更し、ステップ２１４へ移行する。また、ステップ２０６で否定判定、ステップ２１０で否定判定された場合は、ステップ２１４へ移行する。
【００６９】
ステップ２１４では、プリントを実行し（前述の処理の流れに基づく）、ステップ２１６へ移行する。
【００７０】
ステップ２１６では、ジョブが終了したか否かが判断され、否定判定の場合は、ステップ２０２へ戻り上記工程を繰り返す。また、ステップ２１６で肯定判定されると、このルーチンは終了する。
【００７１】
以上説明したように本実施の形態では、ＳＯＳセンサ７８を通過するときの面発光レーザアレイ５０の総発光量を、発光部５０Ａの点灯数によって変更、すなわち、各発光部５０Ａの光量調整ではなく、オン又はオフの設定によって調整し、ＳＯＳセンサ７８が持つ受光量許容レンジの範囲内におさめるようにした。これにより、ゲイン切り替えアンプ等が不要であり、実際に画像形成処理するときの基準電圧に基づく発光光量を考慮することなく、比較的安価である受光量許容レンジが狭いＳＯＳセンサを適用することが可能となる。
【００７２】
また、このとき、ＳＯＳセンサ７８に入射する光量は、受光量許容レンジの範囲の中心値（８０μＷ）に近い光量となるように発光部５０Ａの数を設定することが好ましい（表１参照）。
【００７３】
さらに、基準光量によって光ビームを消灯させることで光量の上限を気にする必要がないため、比較的ゲインの高いＳＯＳセンサ７８を適用することができ、この結果、入力する光量を下げてもジッターが急増することがなくなる（図６参照）。言い換えれば、低光量側でのジッターを軽減することができる。
【００７４】
（変形例）
図７は、本実施の形態の変形例に係る画像形成装置の光ビーム走査装置１６Ａが示されている。
【００７５】
この変形例に係る光ビーム走査装置１６Ａの特徴は、複数の光ビームを同時に、単一の回転多面鏡１５０に入射させ、ｆθレンズ１５２を透過した後の光ビームを異なる感光体ドラム１５４、１５６（図７（Ｂ）参照）へ案内する光学系を備えていることにある。
【００７６】
図７（Ａ）は、光ビーム走査１６Ａの一部を示しており、この図７（Ａ）の光ビーム走査装置１６Ａはブラック（ｋ）色と、シアン（C）色の画像データに対応するものである。すなわち、その他の色、マゼンタ（Ｍ）色とイエロー（Ｙ）色の画像データに対応する同一構造の光ビーム走査装置（図示省略）が併設して存在することになる。
【００７７】
回路基板１６０に取り付けられたレーザ発光アレイ５０からは、複数の発光部からそれぞれ光ビームが照射され、コリメータレンズ１６２を透過してハーフミラー１６４で反射光と透過光とに分解される。
【００７８】
反射光はレンズ１６６を介してモニターフォトダイオード（ＭＰＤ）１６８に入力され、プロセスコントロール処理における光量調整されるようになっている。
【００７９】
また、ハーフミラー１６４を透過する透過光は、シリンドリカルレンズ１７０を介して、回転多面鏡１５０へ入射され、その反射光（走査光）がｆθレンズ１５２を透過する。
【００８０】
ここで、このｆθレンズ１５２を透過した光ビームの一部は、反射ミラー１７２、１７４を介してシアン（Ｃ）用シリンドリカルミラー１７６に入射し、シアン（Ｃ）用の感光体ドラム１５４へと案内される。
【００８１】
また、ｆθレンズ１５２を透過した光ビームの他の一部は、反射ミラー１７８を介してブラック（ｋ）用シリンドリカルミラー１８０に入射し、ブラック（ｋ）用の感光体ドラム１５６へと案内される。
【００８２】
このとき、ブラック（ｋ）用の光ビームがＳＯＳセンサ７８に入射する構成となっており、シアン（Ｃ）用の光ビームは、ブラック（ｋ）用の光ビームの走査タイミングに依存（同期）することになる。
【００８３】
単一の像担持体（被走査体）を露光するための光源が複数ビームがなくとも異なる被走査体を露光する光ビームをＳＯＳセンサに入射させることで、ＳＯＳセンサ上で複数ビームを構成することができ基準光量に応じて点灯ビームの変更が可能となる。このような構成であれば面発光レーザーによらずとも本発明の効果である受光光量レンジが狭い、安価なＳＯＳセンサを用いることができる。
【図面の簡単な説明】
【００８４】
【図１】本実施の形態に係る画像形成装置の概略構成図である。
【図２】本実施の形態に係る光ビーム走査装置の概略構成図である。
【図３】面発光レーザアレイとＳＯＳセンサとの関係を示した図である。
【図４】面発光レーザアレイの発光部の数を選択するための制御を含む発光制御機能ブロック図である。
【図５】面発光レーザアレイの発光部の数を選択する制御を含むプリント制御ルーチンを示すフローチャートである。
【図６】ゲインの高低に基づく、ＳＯＳセンサ上の光量とジッター特性図である。
【図７】変形例に係る画像形成装置の概略構成図である。
【符号の説明】
【００８５】
１０    画像形成装置
１２    感光体ドラム（像担持体）
１６    光ビーム走査装置（光走査装置）
５０    面発光レーザアレイ
５０Ａ    発光部
６６  回転多面鏡
７８    ＳＯＳセンサ（光検出手段）
１００    書き出しタイミング設定部（走査タイミング設定手段）
１０２    ビデオメモリ
１０４    ビデオクロック部
１０６    ＬＤ駆動部（点灯制御手段）
１０８    基準電圧設定部
１１０    ＳＯＳ露光ビーム設定部（光ビーム数決定手段）
【図１】
2008026539.tif 000004
【図２】
2008026539.tif 000005
【図３】
2008026539.tif 000006
【図４】
2008026539.tif 000007
【図５】
2008026539.tif 000008
【図６】
2008026539.tif 000009
【図７】
2008026539.tif 000010